(57)【特許請求の範囲】
【請求項１】
第１及び第２の端末のそれぞれと前記第１及び第２の端末間の通信を仲介する中継装置とを接続する通信制御装置であって、
前記第１の端末の第１の電話番号と前記中継装置の第２の電話番号とを含む前記第１の端末から前記中継装置への第１の着呼要求を、前記第１の端末から受信する第１の受信手段と、
前記第１の受信手段により受信された前記第１の着呼要求を識別するための第１の呼識別番号を設定する設定手段と、
前記設定手段により設定された前記第１の呼識別番号と前記第１の受信手段により受信された前記第１の着呼要求に含まれる前記第１の電話番号とを互いに関連付けて記憶する記憶手段と、
前記第１の受信手段により受信された前記第１の着呼要求と前記設定手段により設定された前記第１の呼識別番号とを含む第２の着呼要求を前記中継装置に送信する第１の送信手段と、
前記中継装置が受信した着呼要求に応じて前記中継装置において作成された前記中継装置から前記第２の端末への第３の着呼要求であって着呼要求の発番号を示す発番号情報と第２の呼識別番号とを含む前記第３の着呼要求を、前記第２の着呼要求が前記中継装置に送信された後に前記中継装置から受信する第２の受信手段と、
前記記憶手段により記憶された前記第１の呼識別番号及び前記第１の電話番号に、前記第２の受信手段により受信された前記第３の着呼要求に含まれる前記第２の呼識別番号及び前記発番号情報がそれぞれ一致しているか否かを判定する判定手段と、
前記記憶手段により記憶された前記第１の呼識別番号及び前記第１の電話番号に、前記第２の受信手段により受信された前記第３の着呼要求に含まれる前記第２の呼識別番号及び前記発番号情報がそれぞれ一致していると前記判定手段により判定された場合、前記第１の電話番号を前記発番号情報として含む前記第２の端末への第４の着呼要求を前記第２の端末に送信する第２の送信手段と
を備えたことを特徴とする通信制御装置。
【請求項２】
第１及び第２の端末のそれぞれと前記第１及び第２の端末間の通信を仲介する中継装置とを接続する通信制御装置であって、
前記第１の端末の第１の電話番号と前記中継装置の第２の電話番号とを含む前記第１の端末から前記中継装置への第１の着呼要求を、前記第１の端末から受信する第１の受信手段と、
前記第１の受信手段により受信された前記第１の着呼要求を識別するための第１の呼識別番号を設定する設定手段と、
前記設定手段により設定された前記第１の呼識別番号と前記第１の受信手段により受信された前記第１の着呼要求に含まれる前記第１の電話番号とを互いに関連付けて記憶する記憶手段と、
前記第１の受信手段により受信された前記第１の着呼要求と前記設定手段により設定された前記第１の呼識別番号とを含む第２の着呼要求を前記中継装置に送信する第１の送信手段と、
前記中継装置が受信した着呼要求に応じて前記中継装置において作成された前記中継装置から前記第２の端末への第３の着呼要求であって前記第２の電話番号と第２の呼識別番号と前記第１の電話番号である発番号付随番号とを含む前記第３の着呼要求を、前記第２の着呼要求が前記中継装置に送信された後に前記中継装置から受信する第２の受信手段と、
前記記憶手段により記憶された前記第１の呼識別番号及び前記第１の電話番号に、前記第２の受信手段により受信された前記第３の着呼要求に含まれる前記第２の呼識別番号及び前記発番号付随番号がそれぞれ一致しているか否かを判定する判定手段と、
前記記憶手段により記憶された前記第１の呼識別番号及び前記第１の電話番号に、前記第２の受信手段により受信された前記第３の着呼要求に含まれる前記第２の呼識別番号及び前記発番号付随番号がそれぞれ一致していると前記判定手段により判定された場合、前記発番号付随番号を含む前記第２の端末への第４の着呼要求を前記第２の端末に送信する第２の送信手段と
を備えたことを特徴とする通信制御装置。
【請求項３】
第１及び第２の端末のそれぞれと前記第１及び第２の端末間の通信を仲介する中継装置とを接続する通信制御装置を用いた通信制御方法であって、
前記第１の端末の第１の電話番号と前記中継装置の第２の電話番号とを含む前記第１の端末から前記中継装置への第１の着呼要求を、前記通信制御装置が前記第１の端末から受信する第１の受信ステップと、
前記第１の受信ステップにおいて受信された前記第１の着呼要求を識別するための第１の呼識別番号を前記通信制御装置が設定する設定ステップと、
前記設定ステップにおいて設定された前記第１の呼識別番号と前記第１の受信ステップにおいて受信された前記第１の電話番号とを互いに関連付けて前記通信制御装置が記憶する記憶ステップと、
前記第１の受信ステップにおいて受信された前記第１の着呼要求と前記設定ステップにおいて設定された前記第１の呼識別番号とを含む第２の着呼要求を、前記通信制御装置が前記中継装置に送信する第１の送信ステップと、
前記中継装置が受信した着呼要求に応じて前記中継装置において作成された前記中継装置から前記第２の端末への第３の着呼要求であって着呼要求の発番号を示す発番号情報と第２の呼識別番号とを含む前記第３の着呼要求を、前記第２の着呼要求が前記中継装置に送信された後に前記通信制御装置が前記中継装置から受信する第２の受信ステップと、
前記記憶ステップにおいて記憶された前記第１の呼識別番号及び前記第１の電話番号に、前記第２の受信ステップにおいて受信された前記第３の着呼要求に含まれる前記第２の呼識別番号及び前記発番号情報がそれぞれ一致しているか否かを前記通信制御装置が判定する判定ステップと、
前記記憶ステップにおいて記憶された前記第１の呼識別番号及び前記第１の電話番号に、前記第２の受信ステップにおいて受信された前記第３の着呼要求に含まれる前記第２の呼識別番号及び前記発番号情報がそれぞれ一致していると前記判定ステップにおいて判定された場合、前記第１の電話番号を前記発番号情報として含む前記第２の端末への第４の着呼要求を、前記通信制御装置が前記第２の端末に送信する第２の送信ステップと
を有することを特徴とする通信制御方法。
【発明の詳細な説明】
【技術分野】
【０００１】
本発明は、通信制御装置及び通信制御方法に関する。
【背景技術】
【０００２】
従来、二つの端末が交換機を介して電話通信を行う場合がある。しかし、電話通信の通信網を管理する管理事業者と交換機を管理する管理事業者とが異なっていると、発信端末の電話番号が着信端末に通知されない虞がある。これに対し最近では、交換機が発信端末の発番号を着信端末に通知する技術が開発されている。このような技術の一例が特許文献１に開示されている。特許文献１には、公衆網発信電話機から送信される発番号を受信し記憶する手段と、公衆網発信者の固有電話機から送信される発信者を特定する任意のＩＤコードを受信する手段と、固有電話機の発番号とＩＤコードとを関連付けて登録する手段と、公衆電話機又は出先の電話機から着信番号に続いて登録済みのＩＤコードを受信することで実際の発番号を固有電話機の発番号に変換する手段と、固有電話機の発番号を構内交換機の着信端末に表示する手段とを備える構内交換機の公衆網発信者番号表示方式が開示されている。
【特許文献１】特開２００１−２１１２５５号公報
【発明の開示】
【発明が解決しようとする課題】
【０００３】
しかし、特許文献１の技術では、発信者が発番号の通知に用いるＩＤコードを交換機に予め登録しておかなければならない等、煩雑な手続きが必要となる。
【０００４】
そこで本発明の目的は、煩雑な手続きを要することなく発番号を着信側に確実に通知可能な通信制御装置及び通信制御方法を提供することである。
【課題を解決するための手段】
【０００５】
本発明は、第１及び第２の端末のそれぞれと上記第１及び第２の端末間の通信を仲介する中継装置とを接続する通信制御装置であって、上記第１の端末の第１の電話番号と上記中継装置の第２の電話番号とを含む上記第１の端末から上記中継装置への第１の着呼要求を、上記第１の端末から受信する第１の受信手段と、上記第１の受信手段により受信された上記第１の着呼要求を識別するための第１の呼識別番号を設定する設定手段と、上記設定手段により設定された上記第１の呼識別番号と上記第１の受信手段により受信された上記第１の着呼要求に含まれる上記第１の電話番号とを互いに関連付けて記憶する記憶手段と、上記第１の受信手段により受信された上記第１の着呼要求と上記設定手段により設定された上記第１の呼識別番号とを含む第２の着呼要求を上記中継装置に送信する第１の送信手段と、上記中継装置が受信した着呼要求に応じて上記中継装置において作成された上記中継装置から上記第２の端末への第３の着呼要求であって着呼要求の発番号を示す発番号情報と第２の呼識別番号とを含む上記第３の着呼要求を、上記第２の着呼要求が上記中継装置に送信された後に上記中継装置から受信する第２の受信手段と、上記記憶手段により記憶された上記第１の呼識別番号及び上記第１の電話番号に、上記第２の受信手段により受信された上記第３の着呼要求に含まれる上記第２の呼識別番号及び上記発番号情報がそれぞれ一致しているか否かを判定する判定手段と、上記記憶手段により記憶された上記第１の呼識別番号及び上記第１の電話番号に、上記第２の受信手段により受信された上記第３の着呼要求に含まれる上記第２の呼識別番号及び上記発番号情報がそれぞれ一致していると上記判定手段により判定された場合、上記第１の電話番号を上記発番号情報として含む上記第２の端末への第４の着呼要求を上記第２の端末に送信する第２の送信手段とを備えたことを特徴とする。
【０００６】
また、本発明は、第１及び第２の端末のそれぞれと上記第１及び第２の端末間の通信を仲介する中継装置とを接続する通信制御装置を用いた通信制御方法であって、上記第１の端末の第１の電話番号と上記中継装置の第２の電話番号とを含む上記第１の端末から上記中継装置への第１の着呼要求を、上記通信制御装置が上記第１の端末から受信する第１の受信ステップと、上記第１の受信ステップにおいて受信された上記第１の着呼要求を識別するための第１の呼識別番号を上記通信制御装置が設定する設定ステップと、上記設定ステップにおいて設定された上記第１の呼識別番号と上記第１の受信ステップにおいて受信された上記第１の電話番号とを互いに関連付けて上記通信制御装置が記憶する記憶ステップと、上記第１の受信ステップにおいて受信された上記第１の着呼要求と上記設定ステップにおいて設定された上記第１の呼識別番号とを含む第２の着呼要求を、上記通信制御装置が上記中継装置に送信する第１の送信ステップと、上記中継装置が受信した着呼要求に応じて上記中継装置において作成された上記中継装置から上記第２の端末への第３の着呼要求であって着呼要求の発番号を示す発番号情報と第２の呼識別番号とを含む上記第３の着呼要求を、上記第２の着呼要求が上記中継装置に送信された後に上記通信制御装置が上記中継装置から受信する第２の受信ステップと、上記記憶ステップにおいて記憶された上記第１の呼識別番号及び上記第１の電話番号に、上記第２の受信ステップにおいて受信された上記第３の着呼要求に含まれる上記第２の呼識別番号及び上記発番号情報がそれぞれ一致しているか否かを上記通信制御装置が判定する判定ステップと、上記記憶ステップにおいて記憶された上記第１の呼識別番号及び上記第１の電話番号に、上記第２の受信ステップにおいて受信された上記第３の着呼要求に含まれる上記第２の呼識別番号及び上記発番号情報がそれぞれ一致していると上記判定ステップにおいて判定された場合、上記第１の電話番号を上記発番号情報として含む上記第２の端末への第４の着呼要求を、上記通信制御装置が上記第２の端末に送信する第２の送信ステップとを有することを特徴とする。
【０００７】
このように、判定手段は、中継装置から第２の端末への第３の着呼要求に含まれる呼識別番号及び発番号情報にそれぞれ一致する呼識別番号及び発番号の組み合わせが、記憶手段により記憶された第１の端末からの着呼要求の内容（呼識別番号、及び発番号としての電話番号）に一致しているか否かを判定し、一致していると判定手段により判定された場合に、送信手段は、第１の端末の電話番号を発番号情報として含む第４の着呼要求を第２の端末に送信する。従って、発信端末としての第１の端末の電話番号が、容易且つ確実に着信端末としての第２の端末に送信される。このように、発信端末の電話番号が着信端末に確実に通知される、ということが、本発明に係る通信制御装置を含む通信網の通信事業者によって保障される。
【０００８】
また、本発明は、第１及び第２の端末のそれぞれと上記第１及び第２の端末間の通信を仲介する中継装置とを接続する通信制御装置であって、上記第１の端末の第１の電話番号と上記中継装置の第２の電話番号とを含む上記第１の端末から上記中継装置への第１の着呼要求を、上記第１の端末から受信する第１の受信手段と、上記第１の受信手段により受信された上記第１の着呼要求を識別するための第１の呼識別番号を設定する設定手段と、上記設定手段により設定された上記第１の呼識別番号と上記第１の受信手段により受信された上記第１の着呼要求に含まれる上記第１の電話番号とを互いに関連付けて記憶する記憶手段と、上記第１の受信手段により受信された上記第１の着呼要求と上記設定手段により設定された上記第１の呼識別番号とを含む第２の着呼要求を上記中継装置に送信する第１の送信手段と、上記中継装置が受信した着呼要求に応じて上記中継装置において作成された上記中継装置から上記第２の端末への第３の着呼要求であって上記第２の電話番号と第２の呼識別番号と上記第１の電話番号である発番号付随番号とを含む上記第３の着呼要求を、上記第２の着呼要求が上記中継装置に送信された後に上記中継装置から受信する第２の受信手段と、上記記憶手段により記憶された上記第１の呼識別番号及び上記第１の電話番号に、上記第２の受信手段により受信された上記第３の着呼要求に含まれる上記第２の呼識別番号及び上記発番号付随番号がそれぞれ一致しているか否かを判定する判定手段と、上記記憶手段により記憶された上記第１の呼識別番号及び上記第１の電話番号に、上記第２の受信手段により受信された上記第３の着呼要求に含まれる上記第２の呼識別番号及び上記発番号付随番号がそれぞれ一致していると上記判定手段により判定された場合、上記発番号付随番号を含む上記第２の端末への第４の着呼要求を上記第２の端末に送信する第２の送信手段とを備えたことを特徴とする。
【発明の効果】
【０００９】
本発明によれば、煩雑な手続きを要することなく発番号を着信側に確実に通知できる通信制御装置及び通信制御方法が提供できる。
【発明を実施するための最良の形態】
【００１０】
以下、図面を参照して、本発明に係る好適な実施形態について詳細に説明する。なお、図面の説明において、可能な場合には、同一要素には同一符号を付し、重複する説明を省略する。図１は、通信システム１の構成を示す図である。通信システム１は、第１端末２、第２端末４、通信網６及び中継装置８を備える。通信網６は通信制御装置１０を有している。第１端末２及び第２端末４は、通信制御装置１０を介して中継装置８にそれぞれ接続されている。第１端末２及び第２端末４は、携帯電話等の通信装置である。第１端末２は、中継装置８に対して着呼要求を送信し、第２端末４は、中継装置８から着呼要求を受信する。第１端末２の電話番号を番号Ａ１とし、第２端末４の電話番号を番号Ａ３とする（図４又は図５を参照）。
【００１１】
中継装置８は、通信網６を運営する通信事業者とは異なる他の業者の管理する中継装置である。この中継装置８は、第１端末２から中継装置８への着呼要求に含まれる第２端末４の電話番号（データ）を用いて、中継装置８から第２端末４にオペレータを介さずに着呼要求する構成であってもよいし、中継装置８のオペレータが第１端末２と第２端末４とを電話接続するような従来のＰＢＸ（Private Branch eXchange）等であってもよい。なお、通信網６と中継装置８とは、同一の通信事業者によって運営されていてもよい。中継装置８は、第１端末２からの着呼要求を通信制御装置１０を介して受信し、第２端末４に着呼要求を通信制御装置１０を介して送信する。中継装置８は、第２端末４との通信を目的とする第１端末２からの着呼要求を通信制御装置１０を介して受信すると、第２端末４に着呼要求を通信制御装置１０を介して送信し、第１端末２と第２端末４とを通信接続する。この場合、中継装置８は、第２端末４に送信する着呼要求に、第１端末２から発呼された旨を示すデータを含め、第２端末４は、このデータを受信すると第２端末４の表示画面にこのデータの内容（第１端末２から発呼された旨）を表示する。中継装置８の電話番号を番号Ａ２とする（図４又は図５を参照）。
【００１２】
通信制御装置１０の構成を図２及び図３を参照して説明する。通信制御装置１０は、物理的には、ＣＰＵ１０ａ、ＲＡＭ１０ｂ、ＲＯＭ１０ｃ、入力装置１０ｄ、出力装置１０ｅ、記憶装置１０ｆ及び通信装置１０ｇを有しており、これらはバス１０ｈに接続されている。ＣＰＵ１０ａは、ＲＯＭ１０ｃ等の内蔵メモリに格納された所定のコンピュータソフトウェアをＲＡＭ１０ｂにロードして実行することにより、通信制御装置１０を統括的に制御する。
【００１３】
入力装置１０ｄは、データ入力用デバイスであり、入力されたデータをＣＰＵ１０ａに出力する。出力装置１０ｅは、ＬＣＤ等の表示装置等であり、ＣＰＵ１０ａから入力されたデータを表示する。記憶装置１０ｆは、書き込み／読み出しが自在なメモリである。記憶装置１０ｆは、ＣＰＵ１０ａの実行可能なコンピュータソフトウェアを格納する。通信装置１０ｇは、通信網６を介して、第１端末２、第２端末４及び中継装置８と通信を行うためのインターフェイスを有している。
【００１４】
ＣＰＵ１０ａは、図３に示す複数の機能を実現する。すなわち、通信制御装置１０は、機能的には、受信部１１ａ、設定部１１ｂ、記憶部１１ｃ、送信部１１ｄ及び判定部１１ｅを有する。受信部１１ａ〜判定部１１ｅは、ＣＰＵ１０ａがコンピュータソフトウェアを実行し、図２に示す通信制御装置１０の各構成部を動作させることにより実現される機能である。特に、ＣＰＵ１０ａは、受信部１１ａ〜判定部１１ｅを用いて、図４及び図５に示す通信制御装置１０の処理を実行する。
【００１５】
受信部１１ａは、第１端末２の番号Ａ１と中継装置８の番号Ａ２とを含む第１端末２から中継装置８への着呼要求（図４及び図５に示す着呼要求Ｒ１）を、第１端末２から受信する。受信部１１ａは、中継装置８から第２端末４への着呼要求（例えば、図４に示す着呼要求Ｒ３又は図５に示す着呼要求Ｒ５）を中継装置８から受信する。ここで、上記の中継装置８から第２端末４への着呼要求は、中継装置８への一の着呼要求（例えば、図４又は図５に示す着呼要求Ｒ２）に応じて中継装置８において作成された着呼要求であり、且つ、この中継装置８への一の着呼要求の発番号（例えば、図４又は図５に示す着呼要求Ｒ２の発番号）を示す発番号情報（例えば、図４に示す着呼要求Ｒ３の発番号又は図５に示す着呼要求Ｒ５の発番号付随番号）と呼識別番号（例えば、図４に示す着呼要求Ｒ３の呼識別番号又は図５に示す着呼要求Ｒ５の呼識別番号）とを含む着呼要求である。ここで、発番号とは、発呼を行った端末の電話番号である。
【００１６】
設定部１１ｂは、受信部１１ａにより受信された第１端末２から中継装置８への着呼要求（図４又は図５に示す着呼要求Ｒ１）を識別するための呼識別番号（図４又は図５に示す着呼要求Ｒ２に含まれる呼識別番号）を設定する。記憶部１１ｃは、設定部１１ｂにより設定された呼識別番号（図４又は図５に示す着呼要求Ｒ１の呼識別番号）と受信部１１ａにより受信された着呼要求Ｒ１に含まれる第１端末２の番号Ａ１とを互いに関連付けて記憶装置１０ｆ等に記憶する。
【００１７】
判定部１１ｅは、記憶部１１ｃによって記憶装置１０ｆに記憶された呼識別番号（図４又は図５に示す着呼要求Ｒ１の呼識別番号）及び第１端末２の番号Ａ１に、中継装置８からの着呼要求（例えば、図４に示す着呼要求Ｒ３又は図５に示す着呼要求Ｒ５）に含まれる呼識別番号及び発番号（例えば、図４に示す着呼要求Ｒ３の呼識別番号及び発番号、又は、図５に示す着呼要求Ｒ５の呼識別番号及び発番号付随番号）がそれぞれ一致しているか否かを判定する。
【００１８】
送信部１１ｄは、受信部１１ａにより受信された第１端末２から中継装置８への着呼要求（図４又は図５に示す着呼要求Ｒ１）と、設定部１１ｂにより設定された呼識別番号（図４又は図５に示す着呼要求Ｒ１の呼識別番号）とを含む着呼要求（図４又は図５に示す着呼要求Ｒ２）を中継装置８に送信する。送信部１１ｄは、記憶部１１ｃによって記憶装置１０ｆに記憶された呼識別番号（図４又は図５に示す着呼要求Ｒ１の呼識別番号）及び第１端末２の番号Ａ１に、中継装置８からの着呼要求（例えば、図４に示す着呼要求Ｒ３又は図５に示す着呼要求Ｒ５）に含まれる呼識別番号及び発番号（例えば、図４に示す着呼要求Ｒ３の呼識別番号及び発番号、又は、図５に示す着呼要求Ｒ５の呼識別番号及び発番号付随番号）がそれぞれ一致していると判定部１１ｅにより判定された場合、第１端末２の番号Ａ１を発番号（着呼要求Ｒ３の発番号又は着呼要求Ｒ５の発番号付随番号）として含む第２端末４への着呼要求（図４に示す着呼要求Ｒ４又は図５に示す着呼要求Ｒ６）を第２端末４に送信する。
【００１９】
次に、図４を参照して通信システム１の動作を説明する。図４は、通信システム１の動作を説明するためのシーケンスである。以下、第１端末２の操作者は、第２端末４との間で通信を行うことを目的として第１端末２を中継装置８に接続する。まず、ステップＳ１において、第１端末２は、着呼要求Ｒ１を通信制御装置１０に送信する（ステップＳ１）。着呼要求Ｒ１は、第１端末２から中継装置８への着呼要求であり、第１端末２の番号Ａ１を発番号として含み、中継装置８の番号Ａ２を着番号として含む。ここで、着番号とは、着呼のあった端末の電話番号である。
【００２０】
ステップＳ１の後、ステップＳ２において、通信制御装置１０の受信部１１ａは、第１端末２から着呼要求Ｒ１を受信する（ステップＳ２、第１の受信ステップ）。ステップＳ２の後、ステップＳ３において、通信制御装置１０の設定部１１ｂは、ステップＳ２において受信された着呼要求Ｒ１を識別するための呼識別番号を番号Ａ４に設定する（ステップＳ３、設定ステップ）。ステップＳ３の後、ステップＳ４において、通信制御装置１０の記憶部１１ｃは、着呼要求Ｒ１の呼識別番号（番号Ａ４）と着呼要求Ｒ１の発番号（番号Ａ１）とを互いに関連付けて記憶装置１０ｆに記憶する（ステップＳ４、記憶ステップ）。
【００２１】
ステップＳ４の後、ステップＳ５において、通信制御装置１０の送信部１１ｄは、着呼要求Ｒ１とこの着呼要求Ｒ１の呼識別番号（番号Ａ４）とを含む着呼要求Ｒ２を作成し、この着呼要求Ｒ２を中継装置８に送信する（ステップＳ５、第１の送信ステップ）。着呼要求Ｒ２は、番号Ａ１を発番号として含み、番号Ａ２を着番号として含み、番号Ａ４を呼識別番号として含む。ステップＳ５の後、ステップＳ６において、中継装置８は、通信制御装置１０から着呼要求Ｒ２を受信する（ステップＳ６）。
【００２２】
ステップＳ６の後、ステップＳ７において、中継装置８は、中継装置８の操作者が行う操作に応じて、又は、第１端末２から通信制御装置１０を介して送信される指示信号に応じて、着呼要求Ｒ２の着番号を中継装置８の番号Ａ２から第２端末４の番号Ａ３に変更する（ステップＳ７）。第１端末２の操作者は、第２端末４の番号Ａ３を、中継装置８の操作者に通話によって伝えるか又は番号Ａ３のデータを第１端末２から中継装置８に送信する。この着番号の変更された着呼要求Ｒ２を着呼要求Ｒ３という。着呼要求Ｒ３は、番号Ａ１を発番号として含み、番号Ａ３を着番号として含み、番号Ａ４を呼識別番号として含む。
【００２３】
ステップＳ７の後、ステップＳ８において、中継装置８は、着呼要求Ｒ３を通信制御装置１０に送信する（ステップＳ８）。ステップＳ８の後、ステップＳ９において、通信制御装置１０の受信部１１ａは、中継装置８から着呼要求Ｒ３を受信する（ステップＳ９、第２の受信ステップ）。
【００２４】
ステップＳ９の後、ステップＳ１０において、通信制御装置１０の判定部１１ｅは、ステップＳ４において記憶装置１０ｆに記憶された着呼要求Ｒ１の呼識別番号（番号Ａ４）及び着呼要求Ｒ１の発番号（番号Ａ１）に、着呼要求Ｒ３に含まれる呼識別番号及び発番号がそれぞれ一致するか否かを判定する（ステップＳ１０、判定ステップ）。換言すれば、着呼要求Ｒ３に含まれる呼識別番号に一致する呼識別番号が記憶装置１０ｆに記憶されているかを判定し、記憶されている場合には、この呼識別番号に対応しており記憶装置１０ｆに記憶されている着呼要求の発番号が、着呼要求Ｒ３に含まれる発番号に一致するか否かを判定する。
【００２５】
ステップＳ１０において、ステップＳ４において記憶装置１０ｆに記憶された着呼要求Ｒ１の呼識別番号（番号Ａ４）及び着呼要求Ｒ１の発番号（番号Ａ１）に、着呼要求Ｒ３に含まれる呼識別番号及び発番号がそれぞれ一致すると判定部１１ｅにより判定された場合、ステップＳ１１において、通信制御装置１０の送信部１１ｄは、着呼要求Ｒ３の発番号（番号Ａ１）及び着番号（番号Ａ３）を含む着呼要求Ｒ４を作成し、この着呼要求Ｒ４を第２端末４に送信する（ステップＳ１１、第２の送信ステップ）。着呼要求Ｒ４は、番号Ａ１を発番号として含み、番号Ａ３を着番号として含む。
【００２６】
（変形例１）なお、本実施形態において、着呼要求Ｒ１の着番号を中継装置８の番号Ａ２としたが、これに限らず、第２端末４の番号Ａ３としてもよい（以下、この着呼要求を着呼要求Ｒ１１という）。この場合、ステップＳ４において、送信部１１ｄは、この着呼要求の着番号を番号Ａ３から番号Ａ２に変更し、この番号Ａ２を着番号に含む着呼要求Ｒ２を作成する。ここで、番号Ａ２と番号Ａ３とが互いに関連付けられたデータが、記憶部１１ｃにより記憶装置１０ｆに予め格納されている。送信部１１ｄは、このデータを参照して、着呼要求Ｒ１１の着番号を、番号Ａ３から番号Ａ２に変更する。このデータは、第２端末４と通信制御装置１０との間の通信契約により又は通信契約後の変更手続きにより、通信制御装置１０に格納される。
【００２７】
（変形例２）また、本実施形態においては、着呼要求Ｒ２の着番号を中継装置８の番号Ａ２としたが、これに限らず、中継装置８の内線番号としてもよい（以下、この着呼要求を着呼要求Ｒ２１とする）。この場合、中継装置８はＰＢＸである。また、ステップＳ１において第１端末２から通信制御装置１０に送信される着呼要求は、着呼要求Ｒ１１であるとする。ステップＳ２において着呼要求Ｒ１１が受信部１１ａによって受信されると、ステップＳ４において、送信部１１ｄは、着呼要求Ｒ１１の着番号を、第２端末４の番号Ａ３から中継装置８の番号Ａ２に変更し、この着番号を、番号Ａ２から中継装置８の内線番号に更に変更し、この内線番号を着番号に含む着呼要求Ｒ２１を作成する。そして、送信部１１ｄは、ステップＳ５において、着呼要求Ｒ２１を中継装置８に送信する。
【００２８】
ここで、番号Ａ３と番号Ａ２とが互いに関連付けられたデータ、及び、番号Ａ２と中継装置８の内線番号とが互いに関連付けられたデータが、記憶部１１ｃにより記憶装置１０ｆに予め格納されている。送信部１１ｄは、これらのデータを参照して、この着呼要求Ｒ１１の着番号を、番号Ａ３から中継装置８の内線番号に変更する。また、このステップＳ４において、記憶部１１ｃは、着呼要求Ｒ１１の呼識別番号（番号Ａ４）と着呼要求Ｒ１１の発番号（番号Ａ１）とを、中継装置８の内線番号に関連付けて記憶装置１０ｆに記憶する。
【００２９】
そして、中継装置８は、ステップＳ６において、着呼要求Ｒ２１を受信すると、ステップＳ７において、発番号に中継装置８の内線番号を含み、着番号に番号Ａ３を含み、呼識別番号に番号Ａ４を含む着呼要求（以下、着呼要求Ｒ３１という）を作成し、ステップＳ８において、この着呼要求Ｒ３１を通信制御装置１０に送信する。そして、ステップＳ１０において、着呼要求Ｒ３１に含まれる呼識別番号が、ステップＳ４において記憶装置１０ｆに記憶された着呼要求Ｒ１１の呼識別番号（番号Ａ４）に一致すると判定部１１ｅにより判定された場合、送信部１１ｄは、着呼要求Ｒ３１の発番号を、中継装置８の内線番号から、ステップＳ４においてこの着呼要求Ｒ１１の呼識別番号に発番号として関連付けられて記憶装置１０ｆに記憶された番号Ａ１に変更し、この番号Ａ１を発番号に含む着呼要求Ｒ４を作成する。
【００３０】
なお、変形例２において、通信システム１は、着呼要求Ｒ１１に替えて、発番号に番号Ａ１を含み、着番号に番号Ａ２を含む着呼要求Ｒ１２を用いてもよい。この場合、送信部１１ｄは、ステップＳ４において、着呼要求Ｒ１２の着番号を番号Ａ２から中継装置８の内線番号に変更する。
【００３１】
（変形例３）また、通信システム１は、図４のシーケンスに替えて図５のシーケンスを行ってもよい。図５のシーケンスのステップＳ２１〜ステップＳ２６は、図４のシーケンスのステップＳ１〜ステップＳ６と同様である。従って、ステップＳ２７以降の処理を説明する。
【００３２】
ステップＳ２６の後、ステップＳ２７において、中継装置８は、中継装置８の操作者が行う操作に応じて、又は、第１端末２から通信制御装置１０を介して送信される指示信号に応じて、着呼要求Ｒ２の着番号を中継装置８の番号Ａ２から第２端末４の番号Ａ３に変更する。そして、このステップＳ２７において、中継装置８は、着呼要求Ｒ２の発番号を番号Ａ１から番号Ａ２に変更し、更に、着呼要求Ｒ１及び着呼要求Ｒ２の発番号を、発番号付随番号として設定する（ステップＳ２７）。第１端末２の操作者は、第２端末４の番号Ａ３を、中継装置８の操作者に通話によって伝えるか又は番号Ａ３のデータを第１端末２から中継装置８に送信する。
【００３３】
このようにステップＳ２７において着呼要求Ｒ２に基づいて作成された着呼要求を着呼要求Ｒ５という。着呼要求Ｒ５は、番号Ａ２を発番号として含み、番号Ａ３を着番号として含み、番号Ａ４を呼識別番号として含み、番号Ａ１を発番号付随番号として含む。
【００３４】
ステップＳ２７の後、ステップＳ２８において、中継装置８は、着呼要求Ｒ５を通信制御装置１０に送信する（ステップＳ２８）。ステップＳ２８の後、ステップＳ２９において、通信制御装置１０の受信部１１ａは、中継装置８から着呼要求Ｒ５を受信する（ステップＳ２９、第２の受信ステップ）。
【００３５】
ステップＳ２９の後、ステップＳ３０において、通信制御装置１０の判定部１１ｅは、ステップＳ２４において記憶装置１０ｆに記憶された着呼要求Ｒ１の呼識別番号（番号Ａ４）及び着呼要求Ｒ１の発番号（番号Ａ１）に、着呼要求Ｒ５に含まれる呼識別番号及び発番号付随番号の示す番号がそれぞれ一致するか否かを判定する（ステップＳ３０、判定ステップ）。換言すれば、着呼要求Ｒ５に含まれる呼識別番号に一致する呼識別番号が記憶装置１０ｆに記憶されているかを判定し、記憶されている場合には、この呼識別番号に対応しており記憶装置１０ｆに記憶されている着呼要求の発番号が、着呼要求Ｒ５に含まれる発番号付随番号の示す番号に一致するか否かを判定する。
【００３６】
ステップＳ３０において、ステップＳ２４において記憶装置１０ｆに記憶された着呼要求Ｒ１の呼識別番号（番号Ａ４）及び着呼要求Ｒ１の発番号（番号Ａ１）に、着呼要求Ｒ５に含まれる呼識別番号及び発番号付随番号の番号がそれぞれ一致すると判定部１１ｅにより判定された場合、ステップＳ３１において、通信制御装置１０の送信部１１ｄは、着呼要求Ｒ５の発番号付随番号の番号（番号Ａ１）及び着番号（番号Ａ３）を含む着呼要求Ｒ６を作成し、この着呼要求Ｒ６を第２端末４に送信する（ステップＳ３１、第２の送信ステップ）。着呼要求Ｒ６は、番号Ａ２を発番号として含み、番号Ａ３を着番号として含み、番号Ａ１を発番号付随番号として含む。第２端末４は、着呼要求Ｒ６を受信すると、着呼要求Ｒ６に含まれている発番号付随番号（番号Ａ１）を、発番号として表示画面に表示する。
【００３７】
次に、通信制御装置１０の作用・効果を説明する。通信制御装置１０は、第１端末２及び第２端末４のそれぞれと第１端末２及び第２端末４との間の通信を仲介する中継装置８とを接続する装置である。受信部１１ａは、第１端末２の番号Ａ１と中継装置８の番号Ａ２とを含む第１端末２から中継装置８への着呼要求Ｒ１を、第１端末２から受信する。設定部１１ｂは、受信部１１ａにより受信された着呼要求Ｒ１を識別するための呼識別番号（番号Ａ４）を設定する。
【００３８】
記憶部１１ｃは、設定部１１ｂにより設定された呼識別番号（番号Ａ４）と受信部１１ａにより受信された着呼要求Ｒ１に含まれる発番号としての第１端末２の番号Ａ１とを互いに関連付けて記憶装置１０ｆに記憶する。送信部１１ｄは、受信部１１ａにより受信された着呼要求Ｒ１と設定部１１ｂにより設定された着呼要求Ｒ１の呼識別番号（番号Ａ４）とを含む着呼要求Ｒ２を中継装置８に送信する。受信部１１ａは、中継装置８への一の着呼要求に応じて中継装置８において作成された中継装置８から第２端末４への着呼要求Ｒ３又は着呼要求Ｒ５であってこの中継装置８への一の着呼要求の発番号又はこの発番号を示す発番号付随番号と呼識別番号とを含む着呼要求Ｒ３又は着呼要求Ｒ５を、着呼要求Ｒ２が中継装置８に送信された後に中継装置８から受信する。
【００３９】
判定部１１ｅは、記憶部１１ｃによって記憶装置１０ｆに記憶された着呼要求Ｒ１の呼識別番号（番号Ａ４）及び発番号（番号Ａ１）に、受信部１１ａにより受信された着呼要求Ｒ３又は着呼要求Ｒ５に含まれる呼識別番号及び発番号又は発番号付随番号がそれぞれ一致しているか否かを判定する。送信部１１ｄは、記憶部１１ｃによって記憶装置１０ｆに記憶された着呼要求Ｒ１の呼識別番号（番号Ａ４）及び発番号（番号Ａ１）に、受信部１１ａにより受信された着呼要求Ｒ３又は着呼要求Ｒ５に含まれる呼識別番号及び発番号又は発番号付随番号がそれぞれ一致していると判定部１１ｅにより判定された場合、着呼要求Ｒ１の発番号（番号Ａ１）を発番号又は発番号付随番号として含む第２端末４への着呼要求Ｒ４又は着呼要求Ｒ６を第２端末４に送信する。
【００４０】
以上のように、判定部１１ｅは、中継装置８から第２端末４への着呼要求Ｒ３又は着呼要求Ｒ５に含まれる呼識別番号及び発番号又は発番号付随番号にそれぞれ一致する呼識別番号及び発番号の組み合わせが、記憶部１１ｃにより記憶された第１端末２からの着呼要求Ｒ１の内容（呼識別番号、及び発番号としての電話番号）に一致しているか否かを判定し、一致していると判定部１１ｅにより判定された場合に、送信部１１ｄは、第１端末２の電話番号（番号Ａ１）を発番号又は発番号付随番号として含む着呼要求Ｒ４又は着呼要求Ｒ６を第２端末４に送信する。従って、発信端末としての第１端末２の電話番号が、容易且つ確実に着信端末としての第２端末４に送信される。このように、発信端末としての第１端末２の電話番号が着信端末としての第２端末４に確実に通知される、ということが、通信制御装置１０を含む通信網６の通信事業者によって保障される。
【００４１】
なお、変形例３において、変形例１と同様に着呼要求Ｒ１の着番号を番号Ａ２から番号Ａ３とし、若しくは、変形例２と同様に着呼要求Ｒ２の着番号を番号Ａ２から内線番号とし着呼要求Ｒ５の発番号を番号Ａ２から内線番号としてもよい。
【図面の簡単な説明】
【００４２】
【図１】実施形態に係る通信システムの構成を示す図である。
【図２】実施形態に係る通信制御装置の構成を示す図である。
【図３】実施形態に係る通信制御装置の構成を示す図である。
【図４】実施形態に係る通信システムの動作を説明するためのシーケンスである。
【図５】実施形態に係る通信システムの他の動作を説明するためのシーケンスである。
【符号の説明】
【００４３】
１…通信システム、１０…通信制御装置、１０ａ…ＣＰＵ、１０ｂ…ＲＡＭ、１０ｃ…ＲＯＭ、１０ｄ…入力装置、１０ｅ…出力装置、１０ｆ…記憶装置、１０ｇ…通信装置、１０ｈ…バス、１１ａ…受信部、１１ｂ…設定部、１１ｃ…記憶部、１１ｄ…送信部、１１ｅ…判定部、２…第１端末、４…第２端末、６…通信網、８…中継装置
【図１】
0004519892.tif 000002
【図２】
0004519892.tif 000003
【図３】
0004519892.tif 000004
【図４】
0004519892.tif 000005
【図５】
0004519892.tif 000006